(57)【要約】【課題】原稿の搬送経路の中途部で紙詰まりが生じたとしても、紙詰まりした原稿を少ない手間で簡単に、しかも確実に取り出すことができる画像読取装置を提供する。【解決手段】自動原稿搬送部に原稿の搬送経路を設け、その上部に搬送経路の前半経路を揺動して開閉する搬送部カバーを設ける。搬送部カバーの内部に、後半経路を開閉するハウジングを設ける。搬送経路に、原稿を排紙口へ向かって送給する複数組の駆動ローラーと従動ローラーを設ける。複数個の従動ローラーと駆動ローラーとのどちらかをニップ解除方向に分離する排紙機構を後半経路に臨んで設ける。搬送部カバーを開放して前半経路を開放した状態において、ハウジングが排紙機構のニップ解除に連動して、後半経路を開放できるようにする。【選択図】図１
2011217157.tif 000002
【特許請求の範囲】
【請求項１】
自動原稿搬送部を備えるプラテンカバーと、
前記自動原稿搬送部に形成されて、給紙口側の前半経路と排紙口側の後半経路とで構成される搬送経路と、
前記自動原稿搬送部の上部に設けられて、前記前半経路を開閉する搬送部カバーと、
前記搬送部カバーの内部に設けられて、前記後半経路を開閉するハウジングと、
前記搬送経路に沿って設置した複数個の駆動ローラー、および複数個の従動ローラーとを含むローラー機構と、
を備え、
前記後半経路に臨んで、前記搬送部カバーの開閉に連動して前記駆動ローラーと前記従動ローラーとのニップ状態を解除する排紙機構が設けられており、
前記搬送部カバーを開放して前記前半経路を開放した状態において、ハウジングが前記排紙機構のニップ解除に連動して、前記後半経路を開放することを特徴とする画像読取装置。
【請求項２】
前記排紙機構が、
前記搬送部カバーの開閉に連動して左右方向へスライド変位されるカム枠と、
前記カム枠で解除される解除体とを備えており、
前記解除体に、前記排紙機構のニップ解除に連動して、前記ハウジングを押し上げ操作する開放体が設けてある請求項１に記載の画像読取装置。
【請求項３】
前記ハウジングが、同ハウジングの上面の一側に配置した揺動軸を中心にして、使用位置と開放位置との間で開閉可能に支持されており、
前記開放体が、前記後半経路の排紙口の近傍に配置されており、
前記ハウジングを前記開放体で押し上げ操作した状態において、前記ハウジングの原稿トレイとの隣接端が、前記原稿トレイより上方へ持ち上げられる請求項２に記載の画像読取装置。
【請求項４】
複数個の前記従動ローラーの従動ローラー軸が、前記カム枠と前記解除体とで受け止められており、
前記カム枠と前記解除体とで前記従動ローラー軸を前記駆動ローラーから分離する状態において、
前記解除体が、分離位置まで移動した前記従動ローラーのローラー軸を支点にして揺動することにより、前記開放体が前記ハウジングを押し上げ操作する請求項２または３に記載の画像読取装置。
【請求項５】
前記カム枠は、左右に長いスライド部と、前記スライド部の側端に設けられる受動部とを一体に備えており、
前記カム枠は、前記従動ローラーが前記駆動ローラーとの間でニップ状態となる待機位置と、前記従動ローラーが前記駆動ローラーから分離する作動位置との間でスライドできるように支持されており、
前記搬送部カバーの前記揺動軸の近傍に、前記受動部を作動位置へ向かって操作する第１操作部と、前記受動部を待機位置へ向かって操作する第２操作部とが設けられている請求項２、３または４に記載の画像読取装置。
【請求項６】
原稿載置台の内部に配置された、前記原稿用紙の第１面を読み取る第１読取ユニットと、
前記ハウジングの内部に配置されて、前記原稿用紙の第２面を読み取る第２読取ユニットとを備え、
前記ハウジングは、第２読取ユニットのコンタクトガラスが前記後半経路と正対する使用位置と、前記前半経路の外へ退避する退避位置との間で揺動可能に支持されており、
前記コンタクトガラスと対向する個所に、原稿をコンタクトガラスに押し付ける押え枠が設けられており、
前記押え枠が前記開放体を兼ねており、
前記搬送部カバーを開放し、さらに前記ハウジングを退避位置へ開放した状態において、前記前半経路の全てと、前記押え枠に隣接する駆動ローラーと前記排紙口との間の前記後半経路を開放できる請求項２から５のいずれかひとつに記載の画像読取装置。
【発明の詳細な説明】
【技術分野】
【０００１】
本発明は、コピー機、スキャナー、ファクシミリなどに適用される画像読取装置に関し、なかでも、プラテンカバーに設けられる自動原稿搬送部（以下、単にＡＤＦという。）における紙詰まり時の排紙機構の改良に関する。
【背景技術】
【０００２】
この種の排紙機構に関して、例えば特許文献１のＡＤＦ用の排紙機構が公知である。そこでは、上部フレームと中間フレームを共通する支軸の回りに揺動することにより、ＡＤＦの搬送路を開放して、紙詰まりした原稿の取り出しを容易化している。上部フレームと中間フレームとは、遊びを含む状態で連結してあり、上部フレームを開放するとき、両フレームの間に先の遊びの分だけ隙間を形成できる。
【０００３】
特許文献２では、画像形成装置に搬送力解除手段を設けて、紙詰まりした記録紙の取り出しを容易化している。搬送力解除手段は、搬送解除レバーと、同レバーに支持される搬送下ローラーおよび転写ローラーと、搬送解除レバーに連動して揺動する定着解除レバーと、同レバーに支持される加圧ローラーと、両レバーを解除する向きへ操作するソレノイドなどで構成してある。ソレノイドを作動させると、両レバーが同時に揺動し、両レバーに連動して各ローラーが対応するローラーの周面から離れてニップ状態を解除する。
【先行技術文献】
【特許文献】
【０００４】
【特許文献１】特開平１１−１０６０８６号公報（段落番号００１９、図３）
【特許文献２】特開平０７−０１３４５６号公報（段落番号００２５、図１）
【発明の概要】
【発明が解決しようとする課題】
【０００５】
特許文献１の排紙機構においては、上部フレームを起立する向きへ操作するとき、中間フレームをも同時に開放させる。さらに、両フレームの間に遊びの分だけ隙間を形成して、原稿の取り出しを容易化している。しかし、多くの場合、ＡＤＦにおける原稿の搬送経路は、給紙口と排紙口が同じ側面で開口できるようにＵ字状に構成されており、搬送経路に沿って複数組の送給ローラーが設けられている。そのため、原稿の搬送経路の中途部で紙詰まりが生じた場合には、特許文献１に記載の排紙機構を適用したとしても排紙することはできない。こうした場合には、搬送経路の中途部の紙詰まりに対応できる排紙機構を設けることになるが、全体構造が複雑になるのを避けられない。特許文献２の搬送力解除手段においても、同様の問題を生じる。
【０００６】
本発明の目的は、紙詰まりした原稿を少ない手間で簡単に、しかも確実に取り出すことができる画像読取装置を提供することにある。本発明の目的は、原稿の搬送経路の中途部で紙詰まりが生じたとしても、搬送経路に沿って設けた複数の送給ローラーが密着する状態を解放して、簡便に原稿を取り出すことができる画像読取装置を提供することにある。
【課題を解決するための手段】
【０００７】
本発明に係る画像読取装置は、自動原稿搬送部６を備えるプラテンカバー５と、
自動原稿搬送部６に形成されて、給紙口２５側の前半経路３７と排紙口２８側の後半経路３８とで構成される搬送経路２３と、
自動原稿搬送部６の上部に設けられて、前半経路３７を開閉する搬送部カバー３９と、
搬送部カバー３９の内部に設けられて、後半経路３８を開閉するハウジング５０と、
搬送経路２３に沿って設置した複数個の駆動ローラー５５・５７・５９、および複数個の従動ローラー５６・５８・６０とを含むローラー機構とを備えている。
後半経路３８に臨んで、搬送部カバー３９の開閉に連動して駆動ローラー５７・５９と従動ローラー５８・６０とのニップ状態を解除する排紙機構を設ける。
搬送部カバー３９を開放して前半経路３７を開放した状態において、ハウジング５０が排紙機構のニップ解除に連動して、後半経路３８を開放することを特徴とする。
【０００８】
排紙機構は、搬送部カバー３９の開閉に連動して左右方向へスライド変位されるカム枠７０と、カム枠７０で解除される解除体７１とを備えている。解除体７１に、排紙機構のニップ解除に連動して、ハウジング５０を押し上げ操作する開放体３１を設ける。
【０００９】
ハウジング５０は、同ハウジング５０の上面の一側に配置した揺動軸６９を中心にして、使用位置と開放位置との間で開閉可能に支持する。開放体３１は、後半経路３８の排紙口２８の近傍に配置する。ハウジング５０を開放体３１で押し上げ操作した状態において、ハウジング５０の原稿トレイ２１との隣接端が、原稿トレイ２１より上方へ持ち上げられるようにする。
【００１０】
複数個の従動ローラー５８・６０の従動ローラー軸６４・６５を、カム枠７０と解除体７１とで受け止める。カム枠７０と解除体７１とで従動ローラー軸６４・６５を駆動ローラー５８・６０から分離する状態において、解除体７１が、分離位置まで移動した従動ローラー６０のローラー軸６５を支点にして揺動する。これにより、開放体３１でハウジング５０を押し上げ操作する。
【００１１】
カム枠７０は、左右に長いスライド部７２と、スライド部７２の側端に設けられる受動部７３とを一体に備えている。カム枠７０は、従動ローラー５８・６０が駆動ローラー５７・５９との間でニップ状態となる待機位置と、従動ローラー５８・６０が駆動ローラー５７・５９から分離する作動位置との間でスライドできるように支持する。搬送部カバー３９の揺動軸４０の近傍に、受動部７３を作動位置へ向かって操作する第１操作部８５と、受動部７３を待機位置へ向かって操作する第２操作部８６とを設ける。
【００１２】
原稿載置台の内部に配置された、原稿用紙の第１面を読み取る第１読取ユニット１２と、ハウジング５０の内部に配置されて、原稿用紙の第２面を読み取る第２読取ユニット２４とを備えている。ハウジング５０は、第２読取ユニット２４のコンタクトガラス５１が後半経路３８と正対する使用位置と、前半経路３７の外へ退避する退避位置との間で揺動可能に支持する。コンタクトガラス５１と対向する個所に、原稿をコンタクトガラス５１に押し付ける押え枠３１を設ける。押え枠３１が開放体を兼ねる。搬送部カバー３９を開放し、さらにハウジング５０を退避位置へ開放した状態において、前半経路３７の全てと、押え枠３１に隣接する駆動ローラー５９と排紙口２８との間の後半経路３８を開放できるようにする。
【発明の効果】
【００１３】
本発明においては、自動原稿搬送部６における搬送経路２３を、給紙口２５側の前半経路３７と、排紙口２８側の後半経路３８とで構成し、搬送部カバー３９を開放することにより前半経路３７を開放できるようにした。また、後半経路３８に配置した複数の駆動ローラー５７・５９と従動ローラー５８・６０のいずれかを、搬送部カバー３９の開閉に連動する排紙機構で分離して、駆動ローラー５７・５９と従動ローラー５８・６０とがニップする状態を解放できるようにした。さらに、排紙機構によるニップ解除に連動して、ハウジング５０を作動させて後半経路３８を開放できるようにした。このように、搬送部カバー３９の開放動作を利用して、前半経路３７と後半経路３８を開放し、さらに各ローラー５７〜６０によるニップ状態を解除すると、搬送経路２３における原稿の拘束を解除して、原稿の取り出しを容易に行なえる。さらに、搬送経路２３の中途部で紙詰まりが生じたとしても、紙詰まりした原稿を少ない手間で簡単に、しかも確実に取り出すことができる。
【００１４】
カム枠７０と解除体７１を備え、解除体７１に開放体３１を設けた排紙機構によれば、搬送部カバー３９の開放に連動してカム枠７０を一側方へスライド変位させるのに連動して、ハウジング５０を開放体３１で押し上げて後半経路３８を開放できる。したがって、後半経路３８において紙詰まりが生じたとしても、紙詰まりした原稿を少ない手間で簡単に、しかも確実に取り出すことができる。また、開放体３１で押し上げられたハウジング５０を全開放することにより、後半経路３８に紙詰まりした原稿を露出させて、確実に除去できる。また、カム枠７０に加えて解除体７１を備えた排紙機構で従動ローラー５８・６０を分離することにより、個々の従動ローラー５８・６０に適した方向に沿って、従動ローラー５８・６０をカム枠７０および解除体７１で個別に、しかも的確に分離できる。
【００１５】
ハウジング５０を上面の一側に配置した揺動軸６９を中心にして開閉可能に支持し、開放体３１を後半経路３８の排紙口２８の近傍に配置すると、開放体３１でハウジング５０を押し上げるときのモーメントアームを大きくできる。したがって、開放体３１によるハウジング５０の開放を軽快にしかも確実に行なって、ハウジング５０の原稿トレイ２１との隣接端を、原稿トレイ２１より上方へ持ち上げることができる。また、上方へ持ち上げられた隣接端に指先を引っ掛けることにより、ハウジング５０を簡単に、しかも確実に全開放操作して、後半経路３８を大きく開放できる。
【００１６】
カム枠７０と解除体７１とで従動ローラー軸６４・６５を分離する際に、解除体７１を従動ローラー軸６５を支点にして揺動させ、解除体７１に同行する開放体３１でハウジング５０を押し上げ操作すると、排紙機構の部品点数を削減してコンパクト化できる。従動ローラー軸６５を支点軸として利用することにより、解除体７１の支点軸を別途設ける必要がなく、その分だけ排紙機構を簡素化できるからである。
【００１７】
カム枠７０にスライド部７２と受動部７３とを設け、搬送部カバー３９の第１操作部８５と第２操作部８６とで、受動部７３を作動位置と待機位置とに切り換えると、搬送部カバー３９を開放する動作の一部または全部を利用してカム枠７０をスライド操作できる。例えば、搬送部カバー３９を開放するとき、開放ストロークの最後の部分でカム枠７０をスライド操作して、従動ローラー５８・６０を分離できる。同様に、搬送部カバー３９を閉じ姿勢にするとき、閉じストロークの最後の部分でカム枠７０をスライド操作して、従動ローラー５８・６０を密着する状態に戻すことができる。したがって、搬送部カバー３９の開閉量と、カム枠７０のスライド量とに大きな開きがある場合であっても、カム枠７０を適正な量だけスライド操作できる。
【００１８】
内部に第２読取ユニット２４が配置してあるハウジング５０を退避姿勢にして、後半経路３８のうち駆動ローラー５９と排紙口２８との間の経路を開放できるようにすると、後半経路３８に詰まった原稿の取り出しをさらに簡便に行なえる。また、駆動ローラー５９と排紙口２８との間の経路を開放することにより、紙詰まり状態を視認しながら原稿を取り出すことができるので、原稿を取り出す過程で紙面の一部が破損するような不具合を確実に防止できる。また、押え枠３１がハウジング５０用の開放体を兼ねることにより、排紙機構の全体を簡素化して製造コストの削減と、長期にわたって使用する時の信頼性を向上できる。
【００１９】
カム枠に設けたスライド部の上面および下面を、ガイド体でスライド自在に案内すると、スライド時のカム枠の蛇行やがたつきをガイド体で規制できるので、搬送部カバーの開放に連動して従動ローラーを遅滞なく的確に分離できる。ガイド体の第２カムによる解除体の押し下げ動作を確実に行なえる。
【図面の簡単な説明】
【００２０】
【図１】本発明に係る排紙機構を開放した状態の縦断正面図である。
【図２】画像読取装置を概念的に示す正面図である。
【図３】自動原稿搬送部の縦断正面図である。
【図４】排紙機構を示す横断平面図である。
【図５】搬送経路の全てを開放した状態の自動原稿搬送部の縦断正面図である。
【図６】排紙機構が待機位置にあるときの縦断正面図である。
【図７】排紙機構を作動位置に切り換えた状態の縦断正面図である。
【図８】従動ローラーの支持構造を示す断面図である。
【図９】カム枠と解除体の連動動作を示す動作説明図である。
【発明を実施するための形態】
【００２１】
（実施例）  図１から図９は本発明に係る画像読取装置を、コピー機能とファクシミリ機能とを備えた複合機に適用した実施例を示す。なお、本発明における前後、左右、上下とは、図２および図４に示す交差矢印と、各矢印の近傍に表記した前後、左右、上下の表示に従う。
【００２２】
図２において複合機は、記録部１と、記録部１の上側に配置される画像読取部２とを備えている。記録部１には、画像記録装置３や定着装置４などが設けてある。画像読取部２の上面には、原稿読取面を開閉するプラテンカバー５が設けられ、その上部にＡＤＦ（自動原稿搬送部）６が組み込んである。画像読取部２の前面には、操作パネル７が設けてある。記録部１の下方には給紙カセット８が配置してある。画像記録装置３や定着装置４を経由して画像がプリントされた記録紙は、画像読取部２の下方の排紙部９へ排出される。プラテンカバー５は、その後端に設けたヒンジ（図示省略）を中心にして上下に揺動することにより、原稿載置台の上面に被さり、あるいは原稿載置台の上面を開放できる。
【００２３】
図３において原稿載置台の上面はプラテンガラス１１で覆われており、その内部に、原稿の第１面を読み取る第１読取ユニット１２と、第１読取ユニット１２を支持するキャリッジなどが配置してある。第１読取ユニット１２は、光源１３と、第１から第４の各ミラー１４〜１７、およびＣＣＤイメージセンサー１８などで構成する。第１読取ユニット１２をコンタクトガラス１９の真下に位置させておくことにより、ＡＤＦ６でコンタクトガラス１９の上面に沿って搬送される原稿の画像を読み込むことができる。また、プラテンガラス１１の上に載置された固定原稿を読み込む場合には、第１読取ユニット１２をプラテンガラス１１の側縁の下方に位置させた状態で走査する。なお、原稿の第１面とは、原稿を原稿トレイ２１に載置したときに上側になる面であり、原稿の第２面とは、原稿を原稿トレイ２１に載置したときに下側になる面である。
【００２４】
ＡＤＦ６は、上側の原稿トレイ２１と下側の排紙トレイ２２との間に設けた横臥Ｕ字状の搬送経路２３を有し、搬送経路２３で囲まれる空間の右半部に中空のハウジング５０が配置してある。ハウジング５０の内部には、原稿の第２面を読み取る第２読取ユニット２４が設けてある。搬送経路２３には、給紙口２５に臨んで配置されるピックアップローラー２６、および給紙ローラー２７と、後述する３組の送給ローラー５５・５６、５７・５８、５９・６０と、排紙口２８に臨んで配置される排紙ローラー２９が設けてある。
【００２５】
搬送経路２３において、コンタクトガラス１９に対向する個所と、第２読取ユニット２４のコンタクトガラス５１に対向する個所には、それぞれ原稿をコンタクトガラス１９・５１に押し付ける押え枠３０・３１が配置してある。同様に、給紙ローラー２７の下面側には、原稿を給紙ローラー２７に押し付ける押え枠３２が配置してある。押え枠３０は片持ち梁状に形成してあり、自己の弾性でコンタクトガラス１９に密着している。押え枠３１は、圧縮コイル型のばね３３でコンタクトガラス５１に押し付けられており、残る押え枠３２は圧縮コイル型のばね３４で給紙ローラー２７に押し付けられている。
【００２６】
搬送経路２３は、給紙口２５と排紙口２８が同じ側面で開口できるように横臥Ｕ字状に構成されており、その上半を占める給紙口２５側の前半経路３７と、下半を占める排紙口２８側の後半経路３８とで構成してある。前半経路３７は、給紙口２５から、後述する従動ローラー５６と従動ローラー５８の中間部までの搬送経路であり、湾曲する経路の中央部より上側の搬送路を意味する。後述するように、搬送部カバー３９を開き操作したときに開放される部分が前半経路３７である。後半経路３８は、従動ローラー５６と従動ローラー５８の中間部から排紙口２８までの搬送経路であり、先に述べた湾曲する経路の中央部より下側の搬送路を意味する。搬送経路２３のうち湾曲する部分は、搬送部カバー３９および搬送部フレーム４１に設けた外ガイド壁４２と、搬送部フレーム４１に設けた内ガイド壁４３とで区画してある（図３参照）。
【００２７】
前半経路３７は、搬送部カバー３９で覆われており、図１に示すように搬送部カバー３９を開き操作することにより、前半経路３７の全てを開放することができる。搬送部カバー３９は横臥Ｌ字状に形成してあり、図３に示す閉じ姿勢と、図１に示す開放姿勢とに揺動できる。そのために、搬送部カバー３９の側端の下部に設けた揺動軸４０を搬送部フレーム４１で支持している（図４参照）。閉じ姿勢にした搬送部カバー３９は、ＡＤＦ６の上部の外郭線を構成する。先に説明したピックアップローラー２６および給紙ローラー２７と、後述する従動ローラー５６とが搬送部カバー３９の内面に設けてある。
【００２８】
第２読取ユニット２４は、光源４５と、第１から第３の各ミラー４６〜４８、およびＣＣＤイメージセンサー４９などで構成してあり、その全体が中空のハウジング５０の内部に収容してある。第１ミラー４６と対向するハウジング５０の下壁にはコンタクトガラス５１が設けてあり、先に説明した押え枠３１がこのコンタクトガラス５１に密着している。ハウジング５０の上壁は、搬送部カバー３９と協同して前半経路３７の一部を構成しており、ハウジング５０の下壁は搬送部フレーム４１と協同して後半経路３８の一部を構成している。先に説明した押え枠３２はハウジング５０の上壁に組み付けてある。
【００２９】
３組の供給ローラーのうちのひとつは、前半経路３７の湾曲部に配置してあり、残る２組の供給ローラーは、後半経路３８の湾曲部と、押え枠３１の上流側に隣接する位置とに配置してある。各供給ローラーは、駆動ローラー５５・５７・５９と、従動ローラー５６・５８・６０で構成する。図８に示すように、後半経路３８に配置した従動ローラー５８・６０は、その周面が駆動ローラー５７・５９と密着する向き（駆動ローラ５７・５９との間でニップ状態を確立する向き）にばね６２で押し付けられている。ばね６２は板ばねで形成してあり、その一端が搬送部フレーム４１に固定され、他端に設けた軸受部６３が従動ローラー５８・６０の各従動ローラー軸６４・６５に外接している。従動ローラー５８・６０および従動ローラー軸６４・６５は、後述する排紙機構で操作されて、搬送部フレーム４１に形成したガイド溝６６（図８参照）に沿ってスライド変位できる。
【００３０】
搬送経路２３において紙詰まりした原稿を簡便に取り出すために、先に説明したように、搬送部カバー３９を開き揺動して前半経路３７を開放できるようにしている。また、第２読取ユニット２４が収められたハウジング５０を、揺動軸６９の回りに反時計回転方向へ揺動して、駆動ローラー５９と排紙口２８との間の後半経路３８を開放できるようにしている（図５参照）。さらに、後半経路３８に沿って配置した排紙機構で、従動ローラー５８・６０を駆動ローラー５７・５９から分離できるようにしている。
【００３１】
ハウジング５０は、その上面の左端寄りに配置した揺動軸６９を中心にして、使用位置と開放位置との間で開閉可能に支持されており、この実施例では、前半経路３７に臨んで設置した駆動ローラー５５の駆動ローラー軸が揺動軸６９を兼ねるようにした。使用位置におけるハウジング５０は、図３に示すように、コンタクトガラス５１が後半経路３８と正対しており、退避位置におけるハウジング５０は、図５に示すように前半経路３７の外へ退避できる。ハウジング５０の原稿トレイ２１との隣接端には、ハウジング５０を開放操作するための指掛部５２が設けてある。図３に示すように、ハウジング５０が使用位置にある状態では、先に説明した隣接端と指掛部５２の上面とは原稿トレイ２１と面一状に保持されている。
【００３２】
図４および図６において、排紙機構は、搬送部フレーム４１で左右へスライド自在に支持される一対のカム枠７０と、カム枠７０のスライド動作に連動して往復する向きに操作される一対の解除体７１とからなる。カム枠７０および解除体７１は、搬送部カバー３９が開閉する動作を利用して操作される。図６に示すように、カム枠７０は左右に長いスライド部７２と、スライド部７２の左突端に設けられる柱状の受動部７３とを一体に備えている。スライド部７２の上面および下面は、搬送部フレーム４１に設けた上側のガイド体９０と下側のガイド体９１とでスライド自在に案内してある。スライド部７２の下面と、スライド部７２の右突端のそれぞれには、従動ローラー５８・６０を分離するための第１カム７４と第２カム７５が形成してある。これらのカム７４・７５はそれぞれ平坦な斜面で形成してある。カム枠７０は、図６に示す待機位置と、図７に示す作動位置とにスライドでき、待機位置から作動位置へ切り換えられた状態において、従動ローラー５８・６０を駆動ローラー５７・５９から分離する向きに操作する。
【００３３】
図６に示すように、受動部７３の上部に、搬送部カバー３９が開放されるときの動作を受け継ぐ第１受部７６と、第２受部７７が形成してある。第１受部７６は、受動部７３の上部の左向きの垂直面からなり、第２受部７７は、第１受部７６に隣接する右向きの垂直面からなる。解除体７１は押え枠３１の前端および後端のそれぞれに設けてあり、従動ローラー軸６５を受け止める軸受部８０と、第２カム７５で操作される受動片８１と、駆動ローラー軸８２で案内されるスライド腕８３を一体に備えている。解除体７１には、排紙機構のニップ解除に連動してハウジング５０を押し上げ操作する開放体が設けてある。この実施例では、上記の押え枠３１がハウジング５０を押し上げ操作する開放体を兼ねるようにした。後述するように、押え枠３１は、ハウジング５０を押し上げ操作するときのモーメントアームを大きくするために、揺動軸６９から遠く離れた、後半経路３８の排紙口２８の近傍に配置してある。
【００３４】
搬送部カバー３９の揺動軸４０の近傍には、先の第１受部７６に接触してカム枠７０を作動位置へ向かって操作する第１操作部８５と、第２受部７７に接触してカム枠７０を待機位置へ向かって操作する第２操作部８６とが設けてある。第１操作部８５は、閉じ状態における搬送部カバー３９の上壁の側端縁に設けてある。第２操作部８６は、搬送部カバー３９の前後の周壁に形成してあり、図３に示すように同カバー３９を閉じた状態において垂直線に沿って下方へ突出している。図５に示すように、搬送部カバー３９を開放姿勢にした状態では、第１操作部８５寄りの上壁が搬送フレーム４１で受け止められて、自重で開放する姿勢を維持している。
【００３５】
以上のように構成したＡＤＦ６において原稿の紙詰まりが生じた場合には、以下のようにして原稿を搬送経路２３から取り出す。原稿が、給紙口２５を含む前半経路３７で紙詰まりした場合には、搬送部カバー３９を開放する。この状態では、給紙ローラー２７と押え枠３２、および駆動ローラー５５と従動ローラー５６とが分離して、前半経路３７の全体が開放されるので、原稿の取り出しをごく簡単に行なえる。また、搬送部カバー３９を開放するだけのワンタッチ操作で、原稿を速やかに取り出せる。原稿の一部が後半経路３８側へ入り込み、駆動ローラー５７と従動ローラー５８との接触部分に達していたとしても、後述するように、搬送部カバー３９の開放に連動して両従動ローラー５６・５８が密着する状態を解放できるので、問題なく原稿を取り出せる。
【００３６】
原稿が、後半経路３８で紙詰まりした場合には、まず、搬送部カバー３９を開放する。搬送部カバー３９を開放するのと同時に、第１操作部８５が受動部７３の第１受部７６に接触して、カム枠７０の全体を図７において右側へスライド操作する。カム枠７０の右方へのスライドにより、第１カム７４が従動ローラー軸６４をばね６２の弾性に逆らいながら左斜め下向きに押し下げる。同時に、第２カム７５が受動片８１および解除体７１を斜め下向きに押し下げて、従動ローラー軸６５を右斜め下向きに押し下げる。その結果、従動ローラー５８・６０は図７に示すように駆動ローラー５７・５９から分離し、両者の間に十分な隙間が形成される。したがって、各従動ローラー５８・６０に挟まれていた原稿を解放できる。
【００３７】
上記のように、搬送部カバー３９を開放してカム枠７０の全体を右側へスライド操作すると、解除体７１が、分離位置まで移動した従動ローラー６０の従動ローラー軸６５を支点にして反時計回転方向へ揺動する（図９（ｂ）参照）。これにより、押え枠３１（開放体）が解除体７１に同行して上向きに揺動し、押え枠３１の揺動量に相当する分だけ、ハウジング５０が揺動軸６９を中心にして押し上げられる。その結果図１に示すように、指掛部５２が原稿トレイ２１の側端縁よりも上方に浮き上がる。つまり、ハウジング５０の原稿トレイ２１との隣接端を、原稿トレイ２１より上方へ持ち上げて、指掛部５２と原稿トレイ２１の端縁との間に段差を形成し、ハウジング５０を開放準備姿勢に切り換えることができる。
【００３８】
上記のように、従動ローラー軸６５を利用して解除体７１を揺動させると、解除体７１の支点軸を別途設ける必要がなく、その分だけ排紙機構の部品点数を削減して構造を簡素化でき、その分だけ排紙機構をコンパクト化できる。また、開放体３１を揺動軸６９から遠く離れた後半経路３８の排紙口２８の近傍に配置することにより、開放体３１でハウジング５０を押し上げるときのモーメントアームを大きくできる。したがって、開放体３１によるハウジング５０の開放を軽快にしかも確実に行なうことができる。
【００３９】
駆動ローラー５７・５９の間の後半経路３８において紙詰まりを生じた場合には、図１に示すように先の段差に臨む指掛部５２の下面側に指先を引っ掛けることにより、ハウジング５０を退避位置へ容易に全開放することができる。また、ハウジング５０の原稿トレイ２１側の隣接端の壁を利用して指掛部５２を構成するので、別途、指掛け構造を設ける必要がなく、その分だけハウジング５０の構造を簡素化できる。さらに、ハウジング５０の前後縁に取っ手を張り出し形成する場合に比べて、ハウジング５０の前後方向の全長が大きくなるのを回避できるので、ＡＤＦ６をコンパクトにまとめた状態に構成することができる。
【００４０】
ハウジング５０を退避位置へ開放することにより、後半経路３８のうち駆動ローラー５９と排紙口２８との間の経路を開放できる。したがって、図５に示すように原稿が後半経路３８の湾曲部や、駆動ローラー５７・５９の間において詰まっていたとしても、原稿の一部を開放された搬送経路に露出させて、簡単に取り出すことができる。以後は、ハウジング５０を使用位置へ戻し、さらに搬送部カバー３９を閉じ姿勢に戻すことにより、ＡＤＦ６を使用可能な状態とすることができる。
【００４１】
搬送部カバー３９を閉じ姿勢に戻すのに連動して、第２操作部８６が受動部７３の第２受部７７に接触して、カム枠７０を待機位置へ向かってスライド操作する。これにより、第１カム７４による拘束が解除されて、従動ローラー５８および従動ローラー軸６４がばね６２で斜め上向きに押し戻される。同様に、第２カム７５による解除体７１の拘束が解除されるので、従動ローラー６０および従動ローラー軸６５がばね６２で斜め上向きに押し戻される。その結果、従動ローラー５８・６０は駆動ローラー５７・５９に密着して、原稿を送給できる状態に戻る。
【００４２】
以上のように構成した排紙機構によれば、単に搬送部カバー３９を開き操作するだけで、前半経路３７の全てを開放し、同時に駆動ローラー５７・５９と従動ローラー５８・６０が密着する状態を解放できる。また、ハウジング５０を退避位置へ開放することにより、駆動ローラー５９と排紙口２８との間の経路を開放して原稿を露出させることができる。したがって、搬送経路２３のどの部分で原稿が紙詰まりしたとしても、原稿を少ない手間で簡単に、しかも確実に取り出すことができる。また、搬送経路２３の中途部で紙詰まりが生じたとしても、複数の駆動ローラー５７・５９と従動ローラー５８・６０が密着する状態を解放して、両従動ローラーによる原稿の拘束を解放できる。さらに、駆動ローラー５９と排紙口２８との間の経路を開放することにより、紙詰まり状態を視認しながら原稿を取り出すことができるので、原稿を取り出す過程で紙面の一部が破損するのを防止できる。
【００４３】
上記の実施例では、ＡＤＦ６の内部に第２読取ユニット２４が設けてある場合について説明したが、本発明の排紙機構は、この種の読取ユニットを備えていないＡＤＦ６にも適用できる。上記の実施例では、押え枠３１を開放体に利用してハウジング５０を押し上げるようにしたが、押え枠３１とは別に専用の開放体を設けることができる。その場合には、開放体をカム枠７０で直接に揺動することができる。
【００４４】
従動ローラー軸６４・６５は同時に分離する必要はなく、順に分離してもよい。また、従動ローラー軸６４・６５をカム枠７０で分離する代わりに、従動ローラー５８・６０をカム枠７０で分離することができる。上記の実施例では、従動ローラー５８・６０を分離して、駆動ローラー５７・５９とのニップ状態を解除したが、必要があれば駆動ローラー５７・５９を分離して、従動ローラー５８・６０とのニップ状態を解除してもよい。もちろん、従動ローラー５８・６０と駆動ローラー５７・５９を同時に分離して、両者のニップ状態を解除してもよい。
【符号の説明】
【００４５】
５  プラテンカバー
６  ＡＤＦ（自動原稿搬送部）
２３  搬送経路
２５  給紙口
２８  排紙口
３１  開放体（押え枠）
３７  前半経路
３８  後半経路
３９  搬送部カバー
５０  ハウジング
５２  指掛部
５７・５９  駆動ローラー
５８・６０  従動ローラー
７０  カム枠
７１  解除体
７４  第１カム
７５  第２カム
８５  第１操作部
８６  第２操作部
【図１】
2011217157.tif 000003
【図２】
2011217157.tif 000004
【図３】
2011217157.tif 000005
【図４】
2011217157.tif 000006
【図５】
2011217157.tif 000007
【図６】
2011217157.tif 000008
【図７】
2011217157.tif 000009
【図８】
2011217157.tif 000010
【図９】
2011217157.tif 000011